(57)【要約】【課題】所定のデータのデータ量を小さくしたデータの編集情報に基づいて、その所定のデータの編集結果の編集情報を更新する。【解決手段】一致判定部１００は、メモリカードが装着されたとき、そのメモリカードに記録されているディスクＩＤと、光ディスクのディスクＩＤとが一致するかどうかを判定する。エディットリスト記録部１０２は、一致判定部１００により一致すると判定された場合、メモリカードに記録されている、素材データのデータ量を小さくしたデータであるプロキシデータのプロキシ用エディットリストに基づいて、光ディスクに記録されている素材データの素材用エディットリストを更新する。本発明は、例えば、少なくとも２つの記録媒体に対するアクセスが可能な記録制御装置に適用することができる。【選択図】図３
2007323710.tif 000002
【特許請求の範囲】
【請求項１】
自分自身を特定する情報である第１の特定情報、第１のデータ、その第１のデータの編集結果に関する情報であるデータ編集情報を記録する第１の記録媒体に対する記録を制御する記録制御装置において、
所定の記録媒体を特定する情報である第２の特定情報、前記所定の記録媒体に記録されている第２のデータのデータ量を小さくしたデータである第１の小データ、および、前記第１の小データの編集結果に関する情報である第１の小データ編集情報を記録する着脱可能な第２の記録媒体が装着されたとき、前記第２の記録媒体から前記第２の特定情報を読み出す読出手段と、
前記読出手段により読み出された前記第２の特定情報と、前記第１の特定情報とが一致するかどうかを判定する判定手段と、
前記判定手段により一致すると判定された場合、前記第２の記録媒体に記録されている第１の小データ編集情報に基づいて、前記第１の記録媒体に記録されているデータ編集情報を更新する更新手段と
を備える記録制御装置。
【請求項２】
前記第２の記録媒体には、前記第１の小データの編集結果に付加するデータである付加データも記録されており、
前記第１の小データ編集情報は、前記付加データが付加された前記第１の小データの編集結果に関する情報であり、
前記更新手段は、前記判定手段により一致すると判定された場合、さらに、前記付加データを前記第１の記録媒体に記録させる
請求項１に記載の記録制御装置。
【請求項３】
着脱可能な第３の記録媒体が装着されたとき、その第３の記録媒体に、前記第１の特定情報、前記第１のデータのデータ量を小さくしたデータである第２の小データ、および、前記データ編集情報に基づいて作成された前記第２の小データの編集結果に関する情報である第２の小データ編集情報を記録させる記録制御手段
をさらに備える
請求項１に記載の記録制御装置。
【請求項４】
自分自身を特定する情報である第１の特定情報、第１のデータ、その第１のデータの編集結果に関する情報であるデータ編集情報を記録する第１の記録媒体に対する記録を制御する記録制御装置の記録制御方法において、
所定の記録媒体を特定する情報である第２の特定情報、前記所定の記録媒体に記録されている第２のデータのデータ量を小さくしたデータである第１の小データ、および、前記第１の小データの編集結果に関する情報である小データ編集情報を記録する着脱可能な第２の記録媒体が装着されたとき、前記第２の記録媒体から前記第２の特定情報を読み出し、
その読み出された前記第２の特定情報と、前記第１の特定情報とが一致するかどうかを判定し、
前記第２の特定情報と前記第１の特定情報が一致すると判定された場合、前記第２の記録媒体に記録されている小データ編集情報に基づいて、前記第１の記録媒体に記録されているデータ編集情報を更新する
ステップを含む記録制御方法。
【請求項５】
自分自身を特定する情報である第１の特定情報、第１のデータ、その第１のデータの編集結果に関する情報であるデータ編集情報を記録する第１の記録媒体に対する記録を制御する処理を、コンピュータに行わせるプログラムにおいて、
所定の記録媒体を特定する情報である第２の特定情報、前記所定の記録媒体に記録されている第２のデータのデータ量を小さくしたデータである第１の小データ、および、前記第１の小データの編集結果に関する情報である小データ編集情報を記録する着脱可能な第２の記録媒体が装着されたとき、前記第２の記録媒体から前記第２の特定情報を読み出し、
その読み出された前記第２の特定情報と、前記第１の特定情報とが一致するかどうかを判定し、
前記第２の特定情報と前記第１の特定情報が一致すると判定された場合、前記第２の記録媒体に記録されている小データ編集情報に基づいて、前記第１の記録媒体に記録されているデータ編集情報を更新する
ステップを含むプログラム。
【発明の詳細な説明】
【技術分野】
【０００１】
本発明は、記録制御装置および記録制御方法、並びにプログラムに関し、特に、所定のデータのデータ量を小さくしたデータの編集結果に関する情報である編集情報に基づいて、その所定のデータの編集結果の編集情報を更新することができるようにした記録制御装置および記録制御方法、並びにプログラムに関する。
【背景技術】
【０００２】
従来、他の装置からネットワークを介して送信されてくる、低解像度用の映像を基に編集を行った結果得られる編集情報に基づいて、高解像度用の映像を基に編集を行った結果得られる編集情報を生成し、記録する映像記録装置がある(例えば、特許文献１参照)。
【０００３】
【特許文献１】特開２００４−３１２２３３号公報
【発明の開示】
【発明が解決しようとする課題】
【０００４】
しかしながら、映像記録装置が、低解像度用の映像を基に編集を行った結果得られる編集情報に基づいて、映像記録装置に既に記録されている、その低解像度用の映像に対応する高解像度用の映像を基に編集を行った結果得られた編集情報を更新することは考えられていない。その結果、例えば、他の装置で行われた、低解像度用の映像などの所定の映像のデータ量を小さくした映像の編集結果を、自分の装置で行った、その所定の映像の編集結果に反映させることは困難であった。
【０００５】
本発明は、このような状況に鑑みてなされたものであり、所定のデータのデータ量を小さくしたデータの編集結果に関する情報である編集情報に基づいて、その所定のデータの編集結果の編集情報を更新することができるようにするものである。
【課題を解決するための手段】
【０００６】
本発明の一側面の記録制御装置は、自分自身を特定する情報である第１の特定情報、第１のデータ、その第１のデータの編集結果に関する情報であるデータ編集情報を記録する第１の記録媒体に対する記録を制御する記録制御装置において、所定の記録媒体を特定する情報である第２の特定情報、前記所定の記録媒体に記録されている第２のデータのデータ量を小さくしたデータである第１の小データ、および、前記第１の小データの編集結果に関する情報である第１の小データ編集情報を記録する着脱可能な第２の記録媒体が装着されたとき、前記第２の記録媒体から前記第２の特定情報を読み出す読出手段と、前記読出手段により読み出された前記第２の特定情報と、前記第１の特定情報とが一致するかどうかを判定する判定手段と、前記判定手段により一致すると判定された場合、前記第２の記録媒体に記録されている第１の小データ編集情報に基づいて、前記第１の記録媒体に記録されているデータ編集情報を更新する更新手段とを備える。
【０００７】
前記第２の記録媒体には、前記第１の小データの編集結果に付加するデータである付加データも記録されており、前記第１の小データ編集情報は、前記付加データが付加された前記第１の小データの編集結果に関する情報であり、前記更新手段は、前記判定手段により一致すると判定された場合、さらに、前記付加データを前記第１の記録媒体に記録させることができる。
【０００８】
前記記録制御装置は、着脱可能な第３の記録媒体が装着されたとき、その第３の記録媒体に、前記第１の特定情報、前記第１のデータのデータ量を小さくしたデータである第２の小データ、および、前記データ編集情報に基づいて作成された前記第２の小データの編集結果に関する情報である第２の小データ編集情報を記録させる記録制御手段をさらに設けることができる。
【０００９】
本発明の一側面の記録制御方法は、自分自身を特定する情報である第１の特定情報、第１のデータ、その第１のデータの編集結果に関する情報であるデータ編集情報を記録する第１の記録媒体に対する記録を制御する記録制御装置の記録制御方法において、所定の記録媒体を特定する情報である第２の特定情報、前記所定の記録媒体に記録されている第２のデータのデータ量を小さくしたデータである第１の小データ、および、前記第１の小データの編集結果に関する情報である小データ編集情報を記録する着脱可能な第２の記録媒体が装着されたとき、前記第２の記録媒体から前記第２の特定情報を読み出し、その読み出された前記第２の特定情報と、前記第１の特定情報とが一致するかどうかを判定し、前記第２の特定情報と前記第１の特定情報が一致すると判定された場合、前記第２の記録媒体に記録されている小データ編集情報に基づいて、前記第１の記録媒体に記録されているデータ編集情報を更新するステップを含む。
【００１０】
本発明の一側面のプログラムは、自分自身を特定する情報である第１の特定情報、第１のデータ、その第１のデータの編集結果に関する情報であるデータ編集情報を記録する第１の記録媒体に対する記録を制御する処理を、コンピュータに行わせるプログラムにおいて、所定の記録媒体を特定する情報である第２の特定情報、前記所定の記録媒体に記録されている第２のデータのデータ量を小さくしたデータである第１の小データ、および、前記第１の小データの編集結果に関する情報である小データ編集情報を記録する着脱可能な第２の記録媒体が装着されたとき、前記第２の記録媒体から前記第２の特定情報を読み出し、その読み出された前記第２の特定情報と、前記第１の特定情報とが一致するかどうかを判定し、前記第２の特定情報と前記第１の特定情報が一致すると判定された場合、前記第２の記録媒体に記録されている小データ編集情報に基づいて、前記第１の記録媒体に記録されているデータ編集情報を更新するステップを含む。
【００１１】
本発明の一側面においては、所定の記録媒体を特定する情報である第２の特定情報、前記所定の記録媒体に記録されている第２のデータのデータ量を小さくしたデータである第１の小データ、および、前記第１の小データの編集結果に関する情報である小データ編集情報を記録する着脱可能な第２の記録媒体が装着されたとき、前記第２の記録媒体から前記第２の特定情報を読み出し、その読み出された前記第２の特定情報と、第１の記録媒体を特定する情報である前記第１の特定情報とが一致するかどうかが判定され、前記第２の特定情報と前記第１の特定情報が一致すると判定された場合、前記第２の記録媒体に記録されている小データ編集情報に基づいて、前記第１の記録媒体に記録されている、第１のデータの編集結果に関する情報であるデータ編集情報が更新される。
【発明の効果】
【００１２】
以上のように、本発明の一側面によれば、編集結果に関する情報である編集情報を更新することができる。また、本発明の一側面によれば、所定のデータのデータ量を小さくしたデータの編集情報に基づいて、その所定のデータの編集結果の編集情報を更新することができる。
【発明を実施するための最良の形態】
【００１３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１４】
本発明の一側面の記録制御装置は、
自分自身を特定する情報である第１の特定情報(例えば、ディスクＩＤ)、第１のデータ(例えば、素材データ)、その第１のデータの編集結果に関する情報であるデータ編集情報(例えば、素材用エディットリスト)を記録する第１の記録媒体(例えば、図２の光ディスク２１Ａ)に対する記録を制御する記録制御装置(例えば、図２のボイスオーバ（以下、ＶＯという）付加装置３０)において、
所定の記録媒体を特定する情報である第２の特定情報、前記所定の記録媒体に記録されている第２のデータのデータ量を小さくしたデータである第１の小データ(例えば、プロキシデータ)、および、前記第１の小データの編集結果に関する情報である第１の小データ編集情報(例えば、プロキシ用エディットリスト)を記録する着脱可能な第２の記録媒体(例えば、図２のメモリカード２５)が装着されたとき、前記第２の記録媒体から前記第２の特定情報を読み出す読出手段(例えば、図１１のステップＳ４１の処理を行う図３の一致判定部１００)と、
前記読出手段により読み出された前記第２の特定情報と、前記第１の特定情報とが一致するかどうかを判定する判定手段（例えば、図１２のステップＳ６１の処理を行う図３の一致判定部１００）と、
前記判定手段により一致すると判定された場合、前記第２の記録媒体に記録されている第１の小データ編集情報に基づいて、前記第１の記録媒体に記録されているデータ編集情報を更新する更新手段(例えば、図３のＶＯ複写部１０１とエディットリスト記録部１０２)と
を備える。
【００１５】
本発明の一側面の記録制御装置は、前記第２の記録媒体には、前記第１の小データの編集結果に付加するデータである付加データ(例えば、ＶＯデータ)も記録されており、
前記第１の小データ編集情報は、前記付加データが付加された前記第１の小データの編集結果に関する情報であり、
前記更新手段は、前記判定手段により一致すると判定された場合、さらに、前記付加データを前記第１の記録媒体に記録させる(例えば、図１２のステップＳ６５の処理)。
【００１６】
本発明の一側面の記録制御装置は、着脱可能な第３の記録媒体(例えば、メモリカード２５)が装着されたとき、その第３の記録媒体に、前記第１の特定情報、前記第１のデータのデータ量を小さくしたデータである第２の小データ、および、前記データ編集情報に基づいて作成された前記第２の小データの編集結果に関する情報である第２の小データ編集情報を記録させる記録制御手段（例えば、図３の作成部８２）
をさらに備える。
【００１７】
本発明の一側面の記録制御方法は、
自分自身を特定する情報である第１の特定情報（例えば、ディスクＩＤ）、第１のデータ(例えば、素材データ)、その第１のデータの編集結果に関する情報であるデータ編集情報(例えば、素材用エディットリスト)を記録する第１の記録媒体(例えば、図２の光ディスク２１Ａ)に対する記録を制御する記録制御装置(例えば、図２のＶＯ付加装置３０)の記録制御方法において、
所定の記録媒体を特定する情報である第２の特定情報、前記所定の記録媒体に記録されている第２のデータのデータ量を小さくしたデータである第１の小データ(例えば、プロキシデータ)、および、前記第１の小データの編集結果に関する情報である小データ編集情報(例えば、プロキシ用エディットリスト)を記録する着脱可能な第２の記録媒体(例えば、図２のメモリカード２５)が装着されたとき、前記第２の記録媒体から前記第２の特定情報を読み出し(例えば、図１１のステップＳ４１)、
その読み出された前記第２の特定情報と、前記第１の特定情報とが一致するかどうかを判定し(例えば、図１２のステップＳ６１)、
前記第２の特定情報と前記第１の特定情報が一致すると判定された場合、前記第２の記録媒体に記録されている小データ編集情報に基づいて、前記第１の記録媒体に記録されているデータ編集情報を更新する(例えば、図１２のステップＳ６３)
ステップを含む。
【００１８】
以下、本発明を適用した具体的な実施の形態について、図面を参照しながら詳細に説明する。
【００１９】
図１は、本発明を適用した簡易編集システム１の構成例を表している。
【００２０】
図１の簡易編集システム１は、例えば、収録されたテレビジョン番組の簡易編集に用いられる簡易編集システムである。テレビジョン番組の簡易編集の工程は、基本的に、ディスク集約、ビデオ編集、ＶＯ付加、および、白パケ伝送または白パケ記録に分類される。
【００２１】
ディスク集約は、複数の光ディスクに収録されたテレビジョン番組を構成する各場面の映像データや音声データ等の素材データを、１つの光ディスクに集約する工程である。ビデオ編集は、素材データの必要な範囲を選択し、意図する順番に並べることによりノンリニア編集を行う工程である。
【００２２】
ＶＯ付加とは、ビデオ編集の編集結果を構成する素材データと同時に、ナレーション等の音声データであるＶＯデータが再生されるように、ＶＯデータを記録することにより、編集結果にＶＯを付加する工程である。白パケ伝送は、ＶＯ付加後の編集結果を、白パケとして、放送局等に伝送する工程である。なお、白パケとは、まだ文字や図形のスーパーインポーズによる仕上げがなされていない未完成のデータを指す。白パケ記録は、白パケを光ディスク等に記録する工程である。
【００２３】
図１の簡易編集システム１は、このような各工程における作業を支援する簡易編集支援システムである。簡易編集システム１は、カムコーダ２１と２２、ビデオ編集装置２３、ＶＯ付加装置２４と２６、および白パケ記録装置２７により構成される。
【００２４】
カムコーダ２１と２２は、テレビジョン番組であるニュース番組の収録や、スポーツ等の試合の模様、映画などの撮影（音声の取得も含む）に使用される装置である。カムコーダ２１と２２は、被写体を撮影して得られた素材データ等を、ファイル単位で光ディスク２１Ａまたは２２Ａに記録する。
【００２５】
また、カムコーダ２１と２２は、ユーザの入力に基づいて、収録に関する情報等のように、例えば、後段のビデオ編集時に有用となる情報等を生成し、カムコーダ２１と２２において得られた素材データにメタデータとして関連付ける。
【００２６】
素材データや、それに関連付けられるメタデータが記録された光ディスク２１Ａまたは２２Ａは、ビデオ編集装置２３の内部のドライブ（図示せず）または外部のドライブ２３Ａに装着される。
【００２７】
ビデオ編集装置２３は、その内部のドライブまたは外部のドライブ２３Ａに装着された光ディスク２１Ａまたは２２Ａに収録されたテレビジョン番組を構成する各場面の素材データの、１つの光ディスク２１Ａへの集約と、その光ディスク２１Ａに集約された素材データの編集とに使用される装置である。
【００２８】
ビデオ編集装置２３は、光ディスク２２Ａに収録された素材データを、必要に応じて光ディスク２１Ａに複写する。また、ビデオ編集装置２３は、ユーザの入力に応じて、光ディスク２１Ａに記録されている素材データの編集を行い、その素材データの編集結果に関する情報である素材用エディットリストを作成して、光ディスク２１Ａに記録する。
【００２９】
ＶＯ付加装置２４と２６は、ビデオ編集装置２３により得られる編集結果へのＶＯ付加に使用される装置である。ＶＯ付加装置２４と２６には、マイクロフォン２４Ａまたは２６Ａが接続されている。
【００３０】
ＶＯ付加装置２４と２６は、自分自身に装着された光ディスク２１Ａに記録されている素材用エディットリストにしたがって、光ディスク２１Ａに記録されている編集結果を構成する素材データを再生し、再生中にマイクロフォン２４Ａまたは２６Ａから入力される音声をＶＯとして編集結果に付加する。即ち、ＶＯ付加装置２４と２６は、編集結果を構成する素材データと同時に、その編集結果の再生中に入力された音声のデータであるＶＯデータが再生されるように、ＶＯデータを光ディスク２１Ａに記録する。
【００３１】
また、ＶＯ付加装置２４と２６は、光ディスク２１Ａに記録されている、素材データのデータ量を小さくしたプロキシデータと光ディスク２１Ａを特定する情報、光ディスク２１Ａに記録されている素材用エディットリストに基づいて作成されたプロキシ用エディットリストなどを、メモリカード２５に記録させることにより、メモリカード２５をＶＯデータ記録用のメモリカードとして作成する。なお、プロキシ用エディットリストは、プロキシデータの編集結果に関する情報である。ＶＯ付加装置２４と２６は、素材用エディットリストに基づいて、素材用エディットリストに対応する素材データの編集結果を構成する素材データをプロキシデータに変更したものを、プロキシデータの編集結果とするプロキシ用エディットリストを作成する。
【００３２】
さらに、ＶＯ付加装置２４と２６は、自分自身に装着されたメモリカード２５に記録されているプロキシ用エディットリストにしたがってプロキシデータを再生し、再生中にマイクロフォン２４Ａまたは２６Ａから入力される音声をＶＯとしてプロキシデータに付加する。即ち、ＶＯ付加装置２４と２６は、プロキシ用エディットリストに対応するプロキシデータと同時に、そのプロキシデータの再生中に入力された音声のデータであるＶＯデータが再生されるように、ＶＯデータを光ディスク２１Ａに記録する。これにより、メモリカード２５に記録されているプロキシ用エディットリストは更新される。
【００３３】
また、ＶＯ付加装置２４と２６は、自分自身に装着されたメモリカード２５に記録されているプロキシ用エディットリストに基づいて、光ディスク２１Ａに記録されている素材用エディットリストを更新する。
【００３４】
白パケ記録装置２７は、ＶＯ付加後の編集結果の白パケとしての伝送または記録に使用される装置である。白パケ記録装置２７には、内部のドライブ（図示せず）に、ＶＯ付加装置２４または２６によりＶＯデータが記録された後の光ディスク２１Ａが装着され、その光ディスク２１Ａに記録されている素材用エディットリストにしたがって、光ディスク２１Ａに記録されている素材データとＶＯデータを白パケとして同時に再生し、その白パケをベースバンドとして、FPU(Field Pickup Unit)やSNG(Satellite News Gathering)を用いて放送局２８に伝送する。
【００３５】
また、白パケ記録装置２７は、ＶＯデータが記録された後の光ディスク２１Ａに記録されている素材用エディットリストにしたがって、光ディスク２１Ａに記録されている編集結果を構成する素材データを接続し、その素材データに含まれる所定のチャンネルの音声データに、所定のチャンネルのＶＯデータを上書きして、その結果得られる素材データを、白パケを一本化したファイルとして、放送局２８にFTP(File Transfer Protocol)やFAM（File Access Mode）に準拠して送信する。
【００３６】
このFAMは、i.LINK(商標)におけるデータの取り扱い形式のうち、ファイル形式のデータを送受信する形式である。放送局２８は、例えば、白パケを一本化したファイルを、図示せぬ光ディスク等に記録することにより、白パケが一本化されたファイルを記録する光ディスク等を作成する。
【００３７】
なお、ＶＯデータが記録された光ディスク２１Ａは、放送局２８に郵送されるようにしてもよい。
【００３８】
また、この光ディスク２１Ａには、そこに記録されている素材用エディットリストにしたがって、そこに記録されている編集結果を構成する素材データを接続し、その素材データに含まれる所定のチャンネルの音声データに、所定のチャンネルのＶＯデータを上書きして得られる素材データが、白パケを一本化したファイルとして、光ディスク２１Ａの記録領域のうち、まだ何も記録されていない未記録領域に記録されるようにしてもよい。
【００３９】
放送局２８は、以上のようにして白パケ記録装置２７から送信された白パケを用いて、文字や図形のスーパーインポーズによる仕上げなどを行い、テレビジョン番組として完成されたＡＶ(Audio Video)データであるカンパケを作成する。
【００４０】
なお、白パケ記録装置２７に接続されたドライブ２７Ａに光ディスク２９が装着される場合、白パケ記録装置２７は、白パケを一本化したファイルを、光ディスク２９の未記録領域に記録するようにしてもよい。
【００４１】
また、図１では、カムコーダ２１と２２、ビデオ編集装置２３、ＶＯ付加装置２４または２６、白パケ記録装置２７が、それぞれ別々の装置であるものとしたが、それらの一部または全部が一体化されていてもよい。
【００４２】
さらに、図１では、光ディスク２１Ａと２２Ａがビデオ編集装置２３の内部のドライブまたは外部のドライブ２３Ａに装着され、その光ディスク２１Ａと２２Ａに対する読み出しまたは記録が行われるものとしたが、ビデオ編集装置２３が、光ディスク２１Ａが装着されたカムコーダ２１と、光ディスク２２Ａが装着されたカムコーダ２２とネットワークを介して接続し、そのネットワークを介して、光ディスク２１Ａと２２Ａに対する読み出しまたは記録を行うようにしてもよい。
【００４３】
また、以下では、カムコーダ２１と２２を区別する必要がない場合、それらをまとめてカムコーダ２０という。さらに、以下では、ＶＯ付加装置２４と２６を区別する必要がない場合、それらをまとめてＶＯ付加装置３０といい、マイクロフォン２４Ａと２６Ａを区別する必要がない場合、それらをまとめてマイクロフォン３０Ａという。
【００４４】
図２は、図１のＶＯ付加装置３０のハードウェアの構成例を示すブロック図である。
【００４５】
図２のＶＯ付加装置３０では、映像入力I/F（Interface）５０、音声入力I/F５１、マイコン５２、一時記憶メモリI/F５３、光ディスクドライブI/F５４、操作部I/F５５、ベースバンド出力I/F５６、音声出力I/F５７、シリアルデータI/F５８、映像表示I/F５９、メモリカードI/F６０、ネットワークI/F６１、ハードディスクドライブI/F６２、およびドライブI/F６３が、データバスを介して、システムバス６４に接続されている。
【００４６】
映像入力I/F５０には、外部に設けられたカメラ４１が接続されており、カメラ４１により撮影された結果得られる映像信号が、カメラ４１から入力される。映像入力I/F５０は、その映像信号に含まれる、SDI（Serial Digital Interface）規格に準拠した信号、コンポジット信号、コンポーネント信号などの同期信号を、映像データとして、システムバス６４を介して、映像表示I/F５９などに供給する。
【００４７】
音声入力I/F５１には、外部に設けられたマイクロフォン３０Ａが接続されており、マイクロフォン３０Ａにより取得されたＶＯのアナログ信号である音声信号が入力される。音声入力I/F５１は、その音声信号に対してA/D（Analog/Digital）変換を行い、その結果得られるデジタル信号をＶＯデータとして、システムバス６４を介して一時記憶メモリI/F５３に供給する。
【００４８】
マイコン５２は、CPU(Central Processing Unit)、ROM(Read Only Memory)、およびRAM（Random Access Memory）により構成される。マイコン５２のCPUは、ROMまたはハードディスク６８に記録されているプログラムにしたがって、操作部I/F５５からの操作信号などに応じて、ＶＯ付加装置３０の各部を制御する。RAMには、CPUが実行するプログラムやデータなどが適宜記憶される。
【００４９】
一時記憶メモリI/F５３には、バッファなどの一時記憶メモリ６５が接続されており、一時記憶メモリI/F５３は、音声入力I/F５１からのＶＯデータ、光ディスクドライブI/F５４から供給される素材データなどを、一時記憶メモリ６５に記憶させる。また、一時記憶メモリI/F５３は、一時記憶メモリ６５に記憶されているＶＯデータを読み出し、システムバス６４を介して、光ディスクドライブI/F５４に供給する。その結果、光ディスク２１ＡにＶＯデータが記録される。
【００５０】
さらに、一時記憶メモリI/F５３は、一時記憶メモリ６５に記憶されている素材データのうち、音声データをシステムバス６４を介して音声出力I/F５７に供給し、映像データをシステムバス６４を介して映像表示I/F５９に供給する。その結果、光ディスク２１Ａに記録されている素材データが、一時記憶メモリ６５にバッファリングされながら、再生される。
【００５１】
光ディスクドライブI/F５４には、光ディスク２１Ａが装着された光ディスクドライブ６６が接続されている。光ディスクドライブI/F５４は、光ディスクドライブ６６を制御し、光ディスクドライブ６６に設けられているピックアップ(図示せず)を、光ディスク２１Ａ上の所定の位置にシークして素材データを読み出し、システムバス６４を介して一時記憶メモリI/F５３またはベースバンド出力I/F５６に供給する。また、光ディスクドライブI/F５４は、光ディスクドライブ６６を制御し、一時記憶メモリI/F５３からのＶＯデータを光ディスク２１Ａに記録させる。
【００５２】
操作部I/F５５には、外部に設けられたキーボード、マウス、リモートコントローラから送信されてくる指令を受信する受信部などの操作部４２が接続される。操作部I/F５５は、ユーザによる操作部４２の操作に応じて操作信号を生成し、その操作信号を、システムバス６４を介してマイコン５２に供給する。
【００５３】
ベースバンド出力I/F５６は、光ディスクドライブI/F５４からの素材データをベースバンドとして、FPU装置やSNG装置に出力する。
【００５４】
音声出力I/F５７には、外部に設けられたスピーカ４３が接続され、音声出力I/F５７は、一時記憶メモリI/F５３から供給される音声データに対して、D/A（Digital/Audio）変換を行い、その結果得られるアナログ信号を増幅して、スピーカ４３に供給する。スピーカ４３は、音声出力I/F５７からのアナログ信号に基づいて、音声を外部に出力する。なお、音声出力I/F５７は、音声データをそのままスピーカ４３に供給し、スピーカ４３が、D/A変換等を行い、その結果得られるアナログ信号に基づいて音声を外部に出力するようにしてもよい。
【００５５】
シリアルデータI/F５８は、必要に応じて、図示せぬ外部のコンピュータ等のデジタル機器との間で、データをやり取りする。映像表示I/F５９には、外部に設けられた映像モニタ４４が接続され、映像表示I/F５９は、一時記憶メモリI/F５３からの映像データに対してD/A変換を行い、その結果得られるコンポジット信号、コンポーネント信号などのアナログ信号を増幅して、映像モニタ４４に供給する。映像モニタ４４は、映像表示I/F５９からのアナログ信号に基づいて映像を表示する。なお、映像モニタ４４には、映像とともに、その映像に対応するタイムコードが表示されるようにしてもよい。
【００５６】
また、映像表示I/F５９は、映像データをそのまま映像モニタ４４に供給し、映像モニタ４４が、D/A変換等を行い、その結果得られるアナログ信号に基づいて映像を外部に出力するようにしてもよい。
【００５７】
メモリカードI/F６０は、必要に応じてＶＯ付加装置３０に装着されるメモリカード２５に対して、映像データ、音声データ、各種の設定データなどの読み書きを行う。ネットワークI/F６１は、必要に応じて、インターネットやローカルエリアネットワークなどのネットワークを介して接続される他の装置との間で、データのやり取りを行う。
【００５８】
例えば、ネットワークI/F６１は、他の装置からネットワークを介してプログラムを取得し、システムバス６４、ハードディスクドライブI/F６２、およびハードディスクドライブ６７を介して、ハードディスク６８に記録させる。
【００５９】
ハードディスクドライブI/F６２は、ハードディスク６８に対するデータの読み書きを行う。例えば、ハードディスクドライブI/F６２は、ネットワークI/F６１とシステムバス６４を介して供給されるプログラムをハードディスク６８に記録させる。
【００６０】
ハードディスクドライブI/F６２には、ハードディスク６８が装着されたハードディスクドライブ６７が接続されている。ハードディスクドライブI/F６２は、ハードディスクドライブ６７を制御し、ハードディスク６８に対するデータの読み書きを行う。例えば、ハードディスクドライブI/F６２は、ハードディスクドライブ６７を制御し、ネットワークI/F６１とシステムバス６４を介して供給されるプログラムをハードディスク６８に記録させる。
【００６１】
ドライブI/F６３には、ドライブ６９が接続されている。ドライブI/F６３は、ドライブ６９を制御し、ドライブ６９に磁気ディスク、光ディスク、光磁気ディスク、或いは半導体メモリなどのリムーバブルメディア４５が装着されたとき、それらを駆動し、そこに記録されているプログラムやデータなどを取得する。取得されたプログラムやデータは、必要に応じてハードディスクドライブI/F６２などを介してハードディスク６８に転送され、記録される。
【００６２】
システムバス６４は、そこにデータバスを介して接続されている各部の間でのデータのやり取りを仲介する。
【００６３】
次に、図２のＶＯ付加装置３０において、マイコン５２は、所定のプログラムを実行することにより、ＶＯ付加装置３０に装着されたメモリカード２５に対する処理を行うメモリカード処理部として機能する。
【００６４】
図３は、そのようなメモリカード処理部８０の機能的な構成例を示している。
【００６５】
図３のメモリカード処理部８０は、後述する作成部８２とＶＯ処理部８３のどちらに処理を行わせるかを判定する処理判定部８１、ＶＯデータ記録用のメモリカードを作成する作成部８２、および、ＶＯデータに関する処理であるＶＯ処理を行うＶＯ処理部８３により構成される。
【００６６】
処理判定部８１は、操作部I/F５５からの操作信号などに応じて、作成部８２とＶＯ処理部８３のどちらに処理を行わせるかを判定し、処理を行わせると判定した作成部８２またはＶＯ処理部８３に処理の開始を指令する。
【００６７】
作成部８２は、ディスクメタ複写部９１、エディットリスト記録部９２、プロキシ複写部９３、および表示制御部９４により構成され、処理判定部８１からの指令に応じて処理を開始する。
【００６８】
ディスクメタ複写部９１は、光ディスク２１Ａに記録されているディスクメタデータをメモリカード２５に複写する。具体的には、ディスクメタ複写部９１は、光ディスクドライブI/F５４を制御し、光ディスクドライブ６６に装着されている光ディスク２１Ａからディスクメタデータを読み出す。そして、ディスクメタ複写部９１は、メモリカードI/F６０を制御し、読み出したディスクメタデータをメモリカード２５に記録させる。なお、ディスクメタデータは、光ディスク２１Ａを特定する情報であるディスクＩＤ、光ディスク２１Ａの代表画のパス、光ディスク２１Ａのタイトルまたはコメントなどを記述するデータである。
【００６９】
エディットリスト記録部９２は、操作部I/F５５から供給される、ユーザによる素材用エディットリストを指定するための操作に対応する操作信号に応じて、光ディスクドライブI/F５４を制御し、ユーザにより指定された素材用エディットリストを光ディスク２１Ａから読み出し、一時記憶メモリI/F５３を制御して、一時記憶メモリ６５に一時記憶させる。そして、エディットリスト記録部９２は、一時記憶メモリI/F５３を制御して、一時記憶メモリ６５から素材用エディットリストを読み出し、プロキシ複写部９３に供給するとともに、その読み出した素材用エディットリストに基づいてプロキシ用エディットリストを作成する。その後、エディットリスト記録部９２は、メモリカードI/F６０を制御して、そのプロキシ用エディットリストをメモリカード２５に記録させる。
【００７０】
プロキシ複写部９３は、エディットリスト記録部９２から供給される素材用エディットリストに基づいて、光ディスクドライブI/F５４を制御し、その素材用エディットリストに対応する編集結果を構成する素材データのプロキシデータを光ディスク２１Ａから読み出す。
【００７１】
また、プロキシ複写部９３は、光ディスクドライブI/F５４を制御し、素材用エディットリストに基づいて、その素材用エディットリストに対応する編集結果に付加されたＶＯのＶＯデータを光ディスク２１Ａから読み出す。プロキシ複写部９３は、メモリカードI/F６０を制御し、読み出したプロキシデータとＶＯデータをメモリカード２５に記録させる。
【００７２】
表示制御部９４は、ＶＯデータ記録用のメモリカードの作成に関する各種の画面を表示させるための映像データを作成して、映像表示I/F５９に供給することにより、その画面を映像モニタ４４に表示させる。
【００７３】
例えば、表示制御部９４は、メモリカード２５に記録させるプロキシ用エディットリストに対応する素材用エディットリストを指定するための画面である指定画面を表示させるための映像データを作成して、映像表示I/F５９に供給することにより、指定画面を映像モニタ４４に表示させる。ここで、ユーザは、映像モニタ４４に表示された指定画面を見ながら、操作部４２を操作することにより、メモリカード２５に記録させるプロキシ用エディットリストに対応する素材用エディットリストを指定する。この操作に対応する操作信号は、ユーザによる素材用エディットリストを指定するための操作に対応する操作信号として、エディットリスト記録部９２に供給される。
【００７４】
ＶＯ処理部８３は、一致判定部１００、ＶＯ複写部１０１、エディットリスト記録部１０２、ＶＯ付加部１０３、および表示制御部１０４により構成され、処理判定部８１からの指令に応じて処理を開始する。
【００７５】
一致判定部１００は、光ディスクドライブI/F５４を制御して、光ディスク２１Ａからディスクメタデータを読み出すとともに、メモリカードI/F６０を制御して、メモリカード２５からディスクメタデータを読み出す。そして、一致判定部１００は、光ディスク２１Ａとメモリカード２５の両方から読み出されたディスクメタデータが一致しているかどうかを判定し、その判定結果をＶＯ複写部１０１とエディットリスト記録部１０２に供給する。
【００７６】
ＶＯ複写部１０１は、一致判定部１００からの判定結果と、エディットリスト記録部１０２からのプロキシ用エディットリストとに応じて、メモリカードI/F６０と光ディスクドライブI/F５４を制御し、そのプロキシ用エディットリストに対応するＶＯデータのうち、光ディスク２１Ａに記録されていない新たなＶＯデータを、メモリカード２５から光ディスク２１Ａに複写する。
【００７７】
エディットリスト記録部１０２は、一致判定部１００からの判定結果に応じて、メモリカードI/F６０を制御し、メモリカード２５に記録されているプロキシ用エディットリストのうち、光ディスク２１Ａに記録されている素材用エディットリストに対応するプロキシ用エディットリストを読み出す。そして、エディットリスト記録部１０２は、一時記憶メモリI/F５３を制御し、読み出したプロキシ用エディットリストを一時記憶メモリ６５に一時記憶させる。
【００７８】
エディットリスト記録部１０２は、一時記憶メモリI/F５３を制御して、一時記憶メモリ６５からプロキシ用エディットリストを読み出し、ＶＯ複写部１０１に供給する。また、エディットリスト記録部１０２は、読み出したプロキシ用エディットリストに基づいて、そのプロキシ用エディットリストに対応するプロキシデータの編集結果を構成するプロキシデータを素材データに変更したものを、素材データの編集結果とする素材用エディットリストを作成する。そして、エディットリスト記録部１０２は、光ディスクドライブI/F５４を制御して、その素材用エディットリストを光ディスク２１Ａに記録させる。
【００７９】
ＶＯ付加部１０３は、メモリカード２５に記録されているプロキシ用エディットリストに対応するプロキシデータの編集結果と同時に、ＶＯデータが再生されるように、ＶＯデータをメモリカード２５に記録させることにより、プロキシデータの編集結果にＶＯを付加する。
【００８０】
具体的には、ＶＯ付加部１０３は、操作部I/F５５から供給される、ユーザによるＶＯの付加を開始するための指令に対応する操作信号に応じて、一時記憶メモリI/F５３、音声出力I/F５７、映像表示I/F５９、およびメモリカードI/F６０を制御し、メモリカード２５に記録されている、所定のプロキシ用エディットリストに対応するプロキシデータを、一時記憶メモリ６５にバッファリングしながら再生する。
【００８１】
また、ＶＯ付加部１０３は、音声入力I/F５１と一時記憶メモリI/F５３を制御し、プロキシデータの再生中にマイクロフォン３０Ａに入力される音声に対応するＶＯデータを一時記憶メモリ６５に一時記憶させる。さらに、ＶＯ付加部１０３は、一時記憶メモリI/F５３と光ディスクドライブI/F５４を制御し、一時記憶メモリ６５に一時記憶されているＶＯデータを、メモリカード２５に記録させる。
【００８２】
また、ＶＯ付加部１０３は、メモリカードI/F６０を制御し、ＶＯデータに付与されるUMIDの情報などに基づいて、ＶＯデータが、ＶＯデータの入力時に再生されていたプロキシデータと同時に再生されるように、メモリカード２５に記録されているプロキシ用エディットリストを更新する。
【００８３】
なお、UMIDとは、各クリップやＶＯデータをグローバルユニークに識別するためのクリップ固有の識別子であって、SMPTE（Society of Motion Picture and Television Engineers）により定められる識別子を指す。
【００８４】
表示制御部１０４は、ＶＯ処理に関する各種の画面を表示させるための映像データを作成して、映像表示I/F５９に供給することにより、その画面を映像モニタ４４に表示させる。
【００８５】
図４は、ＶＯ付加後の光ディスク２１Ａに記録されているファイルのディレクトリ構造の例を示している。
【００８６】
図４において、シンボル１２１は、１つのディレクトリを表している。なお、符号は付していないが、シンボル（ディレクトリ）１２１と同一のその他のシンボルも、１つのディレクトリを表している。また、シンボル１２２は、１つのファイルを示している。なお、符号は付していないが、シンボル（ファイル）１２２と同一のその他のシンボルも、１つのファイルを示している。
【００８７】
なお、以下、特に断りの無い限り、ディレクトリとディレクトリのシンボルとは同一であるとみなして説明する。同様に、ファイルとファイルのシンボルとは同一であるとみなして説明する。また、各ディレクトリのそれぞれ、および、各ファイルのそれぞれの識別を容易なものとするために、以下、ファイルまたはディレクトリの後方に括弧（  ）書きでその名称を記載する。
【００８８】
図４の例では、光ディスク２１Ａには、目次を記述するデータのファイルであり、クリップ(詳細は後述する)およびエディットリストを管理するための情報を記述するインデックスファイル(INDEX.XML)１２２と、ディスクメタデータのファイルであるディスクメタファイル（DISCMETA.XML）とが設けられている。
【００８９】
また、光ディスク２１Ａには、クリップの素材データ等のファイルが下位に設けられるクリップディレクトリ（Clip）１２１、ＶＯデータのファイルが下位に設けられるオーディオディレクトリ(Audio)、エディットリストのファイルが下位に設けられるエディットリストディレクトリ（Edit）、およびプロキシデータのファイルが下位に設けられるプロキシディレクトリ（Sub）が設けられている。
【００９０】
クリップディレクトリ(Clip)１２１には、光ディスク２１Ａに記録されているクリップの素材データ等が、クリップ毎に異なるファイルとして記録されている。
【００９１】
なお、クリップとは、カムコーダ２０の撮影処理の回数の単位である。またそれ以外にも、クリップは、その撮影処理の撮影開始から撮影終了までの時間を示す単位を示したり、その撮影処理により得られた各種のデータの長さを示す単位を示したり、その撮影処理により得られた各種のデータのデータ量を示す単位を示す。さらに、クリップは、その各種のデータの集合体そのものを示す場合もある。
【００９２】
ここでは、クリップとは、例えば、１回の撮影処理（撮影開始から撮影終了までの撮影処理）により得られた映像データ、その映像データに対応する音声データ、メタデータ等の集合体を指す。
【００９３】
具体的には、例えば、図４は、光ディスク２１Ａに３つのクリップのデータが記録されている場合の例を示している。
【００９４】
即ち、例えば、クリップディレクトリ１２１の下位には、光ディスク２１Ａに記録された最初のクリップの素材データのファイルである第１のクリップファイル（C0001.MXF）と、このクリップの素材データに対応する、リアルタイム性を要求されないメタデータ（以下、ノンリアルタイムメタデータという）を含むファイルである第１のノンリアルタイムメタデータファイル（C0001M01.XML）とが設けられている。
【００９５】
なお、図４の例では、ノンリアルタイムメタデータファイル（C0001M01.XML）は、汎用性を持たせるためにXML形式で記述されている。
【００９６】
また、クリップディレクトリ１２１の下位には、第１のクリップファイル（C0001.MXF）と第１のノンリアルタイムメタデータファイル（C0001M01.XML）と同様に、第２のクリップファイル（C0002.MXF）と第２のノンリアルタイムメタデータファイル（C0002M01.XML）、並びに第３のクリップファイル（C0003.MXF）と第３のノンリアルタイムメタデータファイル（C0003M01.XML）が設けられている。
【００９７】
図４において、このようなクリップディレクトリ（Clip）１２１の下方に示される、オーディオディレクトリ（Audio）には、光ディスク２１Ａに記録されているＶＯデータが、ＶＯを付加する処理であるＶＯ付加処理ごとに異なるファイルとして記録されている。
【００９８】
例えば、図４の例の場合、オーディオディレクトリ（Audio）の下位には、１回目のＶＯ付加処理により記録されるＶＯデータを含むファイルである第１のＶＯデータファイル（A0001.MXF）と、ＶＯデータに対応するメタデータを含むファイルである第１のＶＯデータ用メタデータファイル（A0001M01.XML）とが設けられている。また、オーディオディレクトリの下位には、第１のＶＯデータファイル（A0001.MXF）と第１のＶＯデータ用メタデータファイル（A0001M01.XML）と同様に、第２のＶＯデータファイル（A0002.MXF）と第２のＶＯデータ用メタデータファイル（A0002M01.XML）とが設けられている。
【００９９】
さらに、図４において、このようなオーディオディレクトリ(Audio)の下方に示される、エディットディレクトリ（Edit）には、光ディスク２１Ａに記録されているエディットリストが、編集処理ごとに異なるファイルとして記録されている。
【０１００】
例えば、図４の例の場合、エディットディレクトリ（Edit）の下位には、光ディスク２１Ａに記録されたクリップの１回目の編集処理の編集結果に関する情報である素材用エディットリストを含むファイルである第１の素材用エディットリストファイル（E0001E01.SMI）と、編集後の素材データ（編集に用いられた全クリップの素材データのうち、編集後の素材データとして抽出された部分）に対応するメタデータ、または、そのメタデータに基づいて新たに生成されたメタデータを含むファイルである第１の素材用エディットリスト用メタデータファイル（E0001M01.XML）とが設けられている。
【０１０１】
また、エディットディレクトリの下位には、第１の素材用エディットリストファイル（E0001E01.SMI）と第１の素材用エディットリスト用メタデータファイル（E0001M01.XML）と同様に、光ディスク２１Ａに記録されたクリップの２回目の編集処理に対応する第２の素材用エディットリストファイル（E0002E01.SMI）と第２の素材用エディットリスト用メタデータファイル（E0002M01.XML）、並びに、光ディスク２１Ａに記録されたクリップの３回目の編集処理に対応する第３の素材用エディットリストファイル（E0003E01.SMI）と第３の素材用エディットリスト用メタデータファイル（E0003M01.XML）が設けられている。
【０１０２】
また、図４において、このようなエディットディレクトリ（Edit）の下方に示される、プロキシディレクトリ（Sub）には、光ディスク２１Ａに記録されているクリップのプロキシデータが、クリップ毎に異なるファイルとして記録されている。
【０１０３】
例えば、図４の例の場合、プロキシディレクトリ（Sub）の下位には、光ディスク２１Ａに記録された最初のクリップのプロキシデータのファイルである第１のプロキシファイル（C0001S01.MXF）、第２のクリップのプロキシデータのファイルである第２のプロキシファイル（C0002S01.MXF）、第３のクリップのプロキシデータのファイルである第３のプロキシファイル（C0003S01.MXF）が設けられる。
【０１０４】
さらに、光ディスク２１Ａには、クリップ以外のファイルが設けられる一般ディレクトリ（General）が設けられている。
【０１０５】
次に、図５は、光ディスク２１Ａに記録されているＶＯ付加後の素材用エディットリストファイルの素材用エディットリストの例を示している。
【０１０６】
即ち、図５は、XMLで記述された素材用エディットリストファイルの具体的な記述例を示す図である。なお、図５において、各行頭の数字は、説明の便宜上付加したものであり、XML記述の一部ではない。
【０１０７】
素材用エディットリストファイルは、クリップの非破壊編集の編集結果に関する情報である素材用エディットリストを含むファイルであり、その編集結果の再生方法についても記述されている。
【０１０８】
図５に示すように、素材用エディットリストファイルのXML記述は、主にボディタグ（<body> </body>）で囲まれるボディ部により構成される。図５の例では、このボディ部は、４乃至１５行目に記述されている。なお、１乃至３行目には、このファイルがProfessional DiscのEdit List（エディットリスト）であることを示す情報が記述されている。
【０１０９】
詳細には、ボディ部には、編集記述の時間的振る舞いと関係する情報が記述される。図５の例では、５行目の開始タグ「<par>」と１８行目の終了タグ「</par>」の間に記述されるpar要素は、時間コンテナであり、複数の要素を同時に再生する単純時間グループを定義する。
【０１１０】
図５の例では、第１のクリップ（図５の例では、Clip１と記述されており、例えば、図４の第１のクリップファイル（C0001.MXF）のクリップであるとする）、第２のクリップ（図５の例では、Clip2と記述されており、例えば、図４の第２のクリップファイル（C0002.MXF）のクリップであるとする）、およびＶＯデータ(図５の例では、VoiceOverと記述されており、例えば、図４の第１のＶＯデータファイル（A0001.MXF）のＶＯデータであるとする)が同時に再生されるように示されている。
【０１１１】
但し、図５の例の場合、後述するように、２つのクリップの再生開始時間が互いにずれており、実際には、この２つのクリップは連続して再生されるように為されている。
【０１１２】
図５において、７乃至９行目のref要素には、参照するファイルおよび参照するファイルの再生範囲等が記述されている。７行目の「src="urn:smpte:umid:060A2B340101010501010D431300000070D3020009350597080046020118F454"」の記述は、参照先のファイルに割り当てられたUMIDが「060A2B340101010501010D431300000070D3020009350597080046020118F454」であることを示している。
【０１１３】
また、８行目の「clipBegin="smpte-30=00:00:00:00"」の記述は、この第１のクリップの、再生を開始する位置、すなわち、編集区間の開始位置をこの第１のクリップのFTC（File Time Code）上で示しており、単位はフレーム数である。なお、このFTCは、各ファイルの先頭フレームの番号を「０」とし、その先頭フレームから順番に、各フレームに割り当てられる相対的な位置情報である。その記述に続く８行目の「clipEnd="smpte-30=00:00:06:00"」の記述は、この第１のクリップの再生を終了する位置、すなわち、編集区間の終了位置をこの第１のクリップのFTC上で示している。
【０１１４】
さらに、その記述に続く８行目の「begin="smpte-30=00:00:00:00"」の記述は、第１のクリップが開始される時刻、すなわち、素材データが開始される素材用エディットリストのFTC上での位置を示しており、単位はフレーム数である。なお、「smpte-30」は、使用するタイムコードが、SMPTEで定義される３０フレーム毎秒のSMPTEタイムコードであることを示す記述である。
【０１１５】
また、９行目の「trackSrc="CH1;CH2;CH3"」の記述は、第１のクリップに含まれる各チャンネルの音声データのうち、再生対象とする音声データに対応するチャンネル（以下、再生チャンネルという）のチャンネル番号が１乃至３であることを示している。なお、以下では、再生可能な音声データのチャンネル数は４つであるものとし、クリップには、４つのチャンネルの音声データが含まれているものとする。従って、図５の例では、第１のクリップの４つのチャンネルの音声データのうち、チャンネル番号が１乃至３の３つのチャンネルの音声データだけが再生される。
【０１１６】
また、その記述に続く９行目の「trackDst="CH1;CH2;CH3"」の記述は、チャンネル番号が１乃至３の再生チャンネルの音声データを出力するチャンネル(以下、出力チャンネルという)のチャンネル番号が１乃至３であることを示している。即ち、図５の例では、チャンネル番号が１乃至３の再生チャンネルの音声データが、そのままのチャンネル番号のチャンネルの音声データとして出力される。
【０１１７】
以上のように、図５の例では、第１のクリップは、時刻「00:00:00:00」に、フレーム番号「00:00:00:00」の位置から再生が開始され、フレーム番号「00:00:06:00」の位置まで再生されることが、素材用エディットリストに記述されている。なお、このとき、第１のクリップに含まれる４つのチャンネルの音声データのうち、チャンネル番号が４であるチャンネルの音声データは再生されない。即ち、いまの場合、再生可能な音声データのチャンネル数は４つであるため、ＶＯデータの再生用にチャンネル番号が４であるチャンネルが確保されている。
【０１１８】
また、第２のクリップについても、１１行目乃至１３行目において、第１のクリップの場合と同様に記述されている。図５の例では、第２のクリップは、時刻「00:00:06:00」に、フレーム番号「00:00:00:00」の位置から再生され、フレーム番号「00:00:04:00」の位置まで再生されることが、素材用エディットリストに記述されている。なお、このときも、第１のクリップの場合と同様に、第２のクリップに含まれる４つのチャンネルのうち、チャンネル番号が１乃至３のチャンネルの音声データが、そのままのチャンネル番号のチャンネルの音声データとして再生される。
【０１１９】
さらに、図５において、１５乃至１７行目のaudio要素には、参照するファイルおよび参照するファイルの再生範囲等が記述されている。１５行目の「src="urn:smpte:umid:060A2B34010101050101084313000000D9510E0033360597080046020118F805"」の記述は、参照先のファイルに割り当てられたUMIDが「060A2B34010101050101084313000000D9510E0033360597080046020118F805」であることを示している。
【０１２０】
また、１６行目の「clipBegin="smpte-30=00:00:00:00"」の記述は、ＶＯデータの、再生を開始する位置をＶＯデータのFTC上で示しており、単位はフレーム数である。その記述に続く１６行目の「clipEnd="smpte-30=00:00:10:00"」の記述は、ＶＯデータの再生を終了する位置をＶＯデータのFTC上で示している。さらに、その記述に続く１６行目の「begin="smpte-30=00:00:00:00"」の記述は、ＶＯデータが開始される時刻、即ちＶＯデータが開始される素材用エディットリストのFTC上での位置を示しており、単位はフレーム数である。
【０１２１】
また、１７行目の「trackSrc="CH4"」の記述は、第１のＶＯデータファイルに含まれる各チャンネルのＶＯデータのうち、再生対象とするＶＯデータに対応するチャンネルを示している。なお、ここで、各ＶＯデータファイルには、４つのチャンネルのＶＯデータが含まれているものとする。即ち、図５の例では、第１のＶＯデータファイルに含まれる４つのチャンネルのＶＯデータのうち、チャンネル番号が４であるチャンネルのＶＯデータだけが再生される。
【０１２２】
その記述に続く１７行目の「trackDst="CH4"」の記述は、再生対象とするチャンネル番号が４のチャンネルのＶＯデータを、そのまま、チャンネル番号が４のチャンネルの音声データとして出力することを示している。
【０１２３】
以上のように、図５の例では、ＶＯデータは、時刻「00:00:00:00」に、フレーム番号「00:00:00:00」の位置から再生が開始され、フレーム番号「00:00:10:00」の位置まで再生されることが、素材用エディットリストに記述されている。なお、このとき、第１のＶＯデータファイルに含まれる各チャンネルのＶＯデータのうち、チャンネル番号が４であるチャンネルのＶＯデータが、そのままのチャンネル番号のチャンネルの音声データとして再生される。
【０１２４】
そして、図５の素材用エディットリストにおいては、以上のような第１のクリップの再生、第２のクリップの再生、およびＶＯデータの再生がpar要素により、同時に行われるように指定されている。従って、時刻「00:00:00:00」に、第１のクリップがフレーム番号「00:00:00:00」の位置からフレーム番号「00:00:06:00」の位置までの６秒間再生されると同時に、ＶＯデータがフレーム番号「00:00:00:00」の位置から「00:00:06:00」まで再生される。
【０１２５】
なお、このとき、チャンネル番号が１乃至３のチャンネルの音声データとして、第１のクリップファイルに含まれるチャンネル番号が１乃至３のチャンネルの音声データが出力され、チャンネル番号が４のチャンネルの音声データとして、第１のＶＯデータファイルに含まれるチャンネル番号が４のチャンネルのＶＯデータが出力される。
【０１２６】
そして、時刻「00:00:06:00」において、今度は、第２のクリップがフレーム番号「00:00:00:00」の位置からフレーム番号「00:00:04:00」の位置までの４秒間再生されると同時に、ＶＯデータがフレーム番号「00:00:06:00」の位置からフレーム番号「00:00:10:00」の位置まで再生される。
【０１２７】
なお、このときも、第１のクリップの場合と同様に、チャンネル番号が１乃至３のチャンネルの音声データとして、第２のクリップファイルに含まれるチャンネル番号が１乃至３のチャンネルの音声データが出力され、チャンネル番号が４のチャンネルの音声データとして、第１のＶＯデータファイルに含まれるチャンネル番号が４のチャンネルのＶＯデータが出力される。
【０１２８】
以上のように、図５に示す素材用エディットリストにおいては、第１と第２のクリップが、連続して再生されるとともに、第１と第２のクリップの２つのクリップにまたがってＶＯデータが再生されるように編集されていることが示されている。
【０１２９】
なお、図５において、各データを示すUMIDの例が上述したように記述してあるが、これらは、素材用エディットリスト内のUMIDの記述位置等を示すだけのものであり、それらの値が意味を持たない仮想のUMIDである。即ち、図５に記載されているUMIDは、実際のUMIDとは異なる意味の無いシンボルの組合せであり、実際には、SMPTEの定める方法に基づいて作成された正当なUMIDが上述した仮想UMIDの代わりに各位置に記述される。
【０１３０】
また、メモリカード２５に記録されるプロキシ用エディットリストも、図５の素材用エディットリストと同様に構成されるが、素材用エディットリストと区別するために、例えば、そこに記述されるクリップのUMIDのインスタンス番号が異なるものとなっている。即ち、エディットリスト記録部９２とエディットリスト記録部１０２は、素材用エディットリストまたはプロキシ用エディットリストの一方に記述されているクリップのUMIDのインスタンス番号を変更することにより、他方を作成する。
【０１３１】
図６乃至図８は、図２の映像モニタ４４に表示される指定画面の例を示している。
【０１３２】
まず最初に、ユーザにより、指定画面の表示が指令されると、映像モニタ４４には、図６に示す指定画面１４０が表示される。図６の指定画面１４０は、光ディスク用表示部１４１、メモリカード用表示部１４２、カーソル１４３、上方向ボタン１４４Ａと下方向ボタン１４４Ｂ、左方向ボタン１４５Ａと右方向ボタン１４５Ｂ、記憶ボタン１４６、および貼付ボタン１４７により構成される。
【０１３３】
光ディスク用表示部１４１には、光ディスク２１Ａに記録されている素材用エディットリストファイルの名称と作成日時が表示される。なお、素材用エディットリストファイルの名称と作成日時は、例えば、素材用エディットリストファイルのヘッダに含まれている。図６の例では、光ディスク２１Ａに記録されているファイルのディレクトリ構造が、図４に示したディレクトリ構造となっており、光ディスク用表示部１４１には、第１乃至第３の素材用エディットリストファイルそれぞれの名称の上位５文字に続いて、第１乃至第３の素材用エディットリストファイルそれぞれの作成日時が括弧書きで表示される。
【０１３４】
メモリカード用表示部１４２には、メモリカード２５に記録されているプロキシ用エディットリストの基になった素材用エディットリストの素材用エディットリストファイルの名称と作成日時が表示される。
【０１３５】
なお、プロキシ用エディットリストの基になった素材用エディットリストの素材用エディットリストファイルの名称と作成日時は、例えば、プロキシ用エディットリストファイルのヘッダに含まれている。このように、プロキシ用エディットリストには、そのプロキシ用エディットリストの基になった素材用エディットリストが対応付けられているので、ＶＯ付加装置３０は、メモリカード２５に記録されているプロキシ用エディットリストに基づいて、そのプロキシ用エディットリストの基になった素材用エディットリストを更新することができる。
【０１３６】
図６の例では、光ディスク２１Ａに記録されている第１の素材用エディットリストファイルに基づいて作成されたプロキシ用エディットリストがメモリカード２５に記録されており、メモリカード用表示部１４２には、第１の素材用エディットリストファイルの名称の上位５文字に続いて、第１の素材用エディットリストファイルの作成日時が括弧書きで表示されている。
【０１３７】
カーソル１４３は、光ディスク用表示部１４１またはメモリカード用表示部１４２に表示された素材用エディットリストファイルの名称と作成日時に対応する位置に表示される。カーソル１４３は、ユーザが所望の素材用エディットリストファイルまたはプロキシ用エディットリストファイルを選択するときに操作され、ユーザの所望の素材用エディットリストファイルまたはプロキシ用エディットリストファイルの名称と作成日時の表示位置に対応する位置に移動される。
【０１３８】
上方向ボタン１４４Ａは、カーソル１４３を上方向に移動させるときに、下方向ボタン１４４Ｂはカーソル１４３を下方向に移動させるときに、それぞれ操作される。左方向ボタン１４５Ａは、カーソル１４３を左方向に移動させるときに、右方向ボタン１４５Ｂは、カーソル１４３を右方向に移動させるときに、それぞれ操作される。
【０１３９】
記憶ボタン１４６は、カーソル１４３の位置に対応する素材用エディットリストまたはプロキシ用エディットリストを、一時記憶メモリ６５に一時記憶させるときに操作される。貼付ボタン１４７は、カーソル１４３の位置に対応するメモリカード２５または光ディスク２１Ａに、一時記憶メモリ６５に一時記憶されている素材用エディットリストまたはプロキシ用エディットリストに基づいて作成された、プロキシ用エディットリストまたは素材用エディットリストを記録させるときに操作される。
【０１４０】
図６の指定画面において、ユーザが記憶ボタン１４６を操作すると、エディットリスト記録部９２は、図６のカーソル１４３の位置に対応する第２の素材用エディットリストファイル（E0002E01.SMI）の素材用エディットリストを、一時記憶メモリ６５に一時記憶させる。
【０１４１】
その後、ユーザが右方向ボタン１４５Ｂを操作すると、図６の指定画面１４０は、図７の指定画面１６０に変更される。即ち、図７に示すように、カーソル１４３が、メモリカード用表示部１４２に移動される。ここで、ユーザは、メモリカード用表示部１４２の何も表示されていない空白領域にカーソル１４３が位置するように、上方向ボタン１４４Ａまたは下方向ボタン１４４Ｂを移動させる。図７の例の場合、カーソル１４３は、既に空白領域に位置しているので、ユーザはカーソル１４３を移動させていない。
【０１４２】
図７において、ユーザが貼付ボタン１４７を操作すると、図７の指定画面１６０は、図８の指定画面１８０に変更される。即ち、エディットリスト記録部９２は、一時記憶メモリ６５に一時記憶された第２の素材用エディットリストファイルの素材用エディットリストに基づいて、プロキシ用エディットリストを作成し、プロキシ用エディットリストファイルとして、メモリカード２５に記録させる。
【０１４３】
その結果、メモリカード用表示部１４２には、図８に示すように、第１の素材用エディットリストファイルの名称と作成日時「E0001(2006.3.15.09:25:11)」のほかに、新たにメモリカード２５に記録されたプロキシ用エディットリストの基になった第２の素材用エディットリストファイルの名称と作成日時である「E0002(2006.3.16.20:45:23)」が表示される。
【０１４４】
次に、図９と図１０を参照して、図３のメモリカード処理部８０がメモリカード２５に対して行うメモリカード処理について説明する。このメモリカード処理は、例えば、図２のＶＯ付加装置３０の電源がオンにされたとき、開始される。
【０１４５】
ステップＳ１において、処理判定部８１は、ＶＯ付加装置３０にメモリカード２５が装着されたかどうかを判定し、メモリカード２５が装着されていないと判定した場合、メモリカード２５が装着されるまで待機する。
【０１４６】
一方、ステップＳ１において、ＶＯ付加装置３０にメモリカード２５が装着されたと判定された場合、ステップＳ２に進み、処理判定部８１は、メモリカード２５にディスクメタデータが記録されているかどうか、即ちメモリカード２５がＶＯデータ記録用のメモリカードであるかどうかを判定する。
【０１４７】
ステップＳ２において、メモリカード２５にディスクメタデータが記録されていないと判定された場合、ステップＳ３に進み、処理判定部８１は、メモリカード２５をＶＯデータ記録用のメモリカードとして使用するかどうかを確認するメッセージを映像モニタ４４に表示させる。ここで、ユーザは、操作部４２を操作することにより、メモリカード２５をＶＯデータ記録用のメモリカードとして使用するかどうかを指示する。
【０１４８】
ステップＳ３の処理後は、ステップＳ４に進み、処理判定部８１は、操作部I/F５５からの操作信号に応じて、メモリカード２５をＶＯデータ記録用のメモリカードとして使用するかどうか、即ちユーザにより、メモリカード２５をＶＯデータ記録用のメモリカードとして使用することが指示されたかどうかを判定する。
【０１４９】
ステップＳ４において、メモリカード２５をＶＯデータ記録用のメモリカードとして使用しないと判定された場合、処理は終了する。一方、ステップＳ４において、処理判定部８１は、メモリカード２５をＶＯデータ記録用のメモリカードとして使用すると判定した場合、以降の処理を作成部８２に行わせると判定し、作成部８２に処理の開始を指令する。その後、ステップＳ５において、作成部８２の表示制御部９４は、光ディスク２１Ａの装着を促すメッセージを映像モニタ４４に表示させ、ステップＳ６に進む。
【０１５０】
ステップＳ６において、ディスクメタ複写部９１は、光ディスク２１Ａが、図２の光ディスクドライブ６６に装着されたかどうかを判定し、装着されたと判定した場合、ステップＳ７に進む。
【０１５１】
ステップＳ７において、ディスクメタ複写部９１は、光ディスク２１Ａに記録されているディスクメタデータファイル（DISCMETA.XML）（図４）のディスクメタデータを読み出し、メモリカード２５に複写する。
【０１５２】
一方、ステップＳ２において、メモリカード２５にディスクメタデータが記録されていると判定された場合、即ちメモリカード２５がＶＯデータ記録用のメモリカードである場合、ステップＳ８に進み、処理判定部８１は、ＶＯを付加するかどうかを確認するメッセージを映像モニタ４４に表示させる。ここで、ユーザは、操作部４２を操作することにより、ＶＯを付加するかどうかを指示する。
【０１５３】
ステップＳ９において、処理判定部８１は、操作部I/F５５からの操作信号に応じて、ＶＯを付加するかどうか、即ちユーザによりＶＯの付加が指示されたかどうかを判定する。
【０１５４】
ステップＳ７の処理後、または、ステップＳ９でＶＯを付加しないと判定された場合、図１０のステップＳ１０に進み、表示制御部９４は、操作部I/F５５からの操作信号に応じて、ユーザにより指定画面１４０（図６）の表示が指令されたかどうかを判定する。
【０１５５】
ステップＳ１０において、表示制御部９４は、ユーザにより指定画面１４０の表示が指令されていないと判定した場合、指定画面１４０の表示が指令されるまで待機する。
【０１５６】
一方、ステップＳ１０において、ユーザにより指定画面１４０の表示が指令されたと判定された場合、ステップＳ１１に進み、表示制御部９４は、光ディスクドライブI/F５４を制御して、光ディスク２１Ａに記録されている素材用エディットリストファイルの名称と作成日時を取得するとともに、メモリカードI/F６０を制御してメモリカード２５に記録されているプロキシ用エディットリストファイルの基になった素材用エディットリストファイルの名称と作成日時を取得する。
【０１５７】
具体的には、表示制御部９４は、光ディスク２１Ａに記録されている素材用エディットリストファイルのヘッダを読み出し、そのヘッダに記述されている素材用エディットリストファイルの名称と作成日時を取得する。また、表示制御部９４は、メモリカード２５に記録されているプロキシ用エディットリストファイルのヘッダを読み出し、そのヘッダに記述されている、そのプロキシ用エディットリストファイルの基になった素材用エディットリストファイルの名称と作成日時を取得する。
【０１５８】
ステップＳ１１の処理後は、ステップＳ１２に進み、表示制御部９４は、ステップＳ１１で取得した素材用エディットリストファイルの名称と作成日時に基づいて、指定画面１４０の表示を行う。具体的には、表示制御部９４は、図６に示したように、光ディスク用表示部１４１に、ステップＳ１１で取得した、光ディスク２１Ａに記録されている素材用エディットリストファイルの名称と作成日時を表示させる。また、表示制御部９４は、図６に示したように、メモリカード用表示部１４２に、ステップＳ１１で取得した、メモリカード２５に記録されているプロキシ用エディットリストファイルの基になった素材用エディットリストファイルの名称と作成日時を表示させる。
【０１５９】
さらに、表示制御部９４は、カーソル１４３、上方向ボタン１４４Ａと下方向ボタン１４４Ｂ、左方向ボタン１４５Ａと右方向ボタン１４５Ｂ、記憶ボタン１４６、および貼付ボタン１４７を表示させる。
【０１６０】
ここで、ユーザは、操作部４２を操作することにより、カーソル１４３を光ディスク用表示部１４１に表示される所望の素材用エディットリストの名称と作成日時に対応する位置に移動させ、記憶ボタン１４６を操作する。
【０１６１】
ステップＳ１２の処理後は、ステップＳ１３に進み、エディットリスト記録部９２は、操作部I/F５５からの操作信号に応じて、素材用エディットリストを指定するための操作として、記憶ボタン１４６（図６）の操作が行われたかどうかを判定し、記憶ボタン１４６の操作が行われていないと判定した場合、記憶ボタン１４６の操作が行われるまで待機する。
【０１６２】
一方、ステップＳ１３において、記憶ボタン１４６の操作が行われたと判定された場合、ステップＳ１４に進み、エディットリスト記録部９２は、カーソル１４３に対応する素材用エディットリストを光ディスク２１Ａから読み出し、一時記憶メモリ６５に記憶させる。
【０１６３】
ユーザは、記憶ボタン１４６を操作した後、右方向ボタン１４５Ｂを操作し、さらに、上方向ボタン１４４Ａまたは下方向ボタン１４４Ｂを操作することにより、カーソル１４３をメモリカード用表示部１４２内の空白領域に移動させる。これにより、映像モニタ４４に表示される指定画面１４０は、例えば図７の指定画面１６０に変更される。そして、ユーザは、貼付ボタン１４７（図６）を操作する。
【０１６４】
ステップＳ１４の処理後は、ステップＳ１５に進み、エディットリスト記録部９２は、操作部I/F５５からの操作信号に応じて、素材用エディットリストを指定するための操作として、貼付ボタン１４７の操作が行われたかどうかを判定し、貼付ボタン１４７の操作が行われていないと判定した場合、貼付ボタン１４７の操作が行われるまで待機する。
【０１６５】
一方、ステップＳ１５において、貼付ボタン１４７の操作が行われたと判定された場合、ステップＳ１６に進み、エディットリスト記録部９２は、ステップＳ１４で一時記憶された素材用エディットリストを読み出して、その素材用エディットリストに基づいてプロキシ用エディットリストを作成し、カーソル１４３の位置に対応するメモリカード２５に記録させる。また、エディットリスト記録部９２は、読み出した素材用エディットリストをプロキシ複写部９３に供給する。
【０１６６】
ステップＳ１６の処理後は、ステップＳ１７に進み、プロキシ複写部９３は、エディットリスト記録部９２からの素材用エディットリストに基づいて、素材用エディットリストに対応する編集結果を構成する素材データのプロキシデータを、光ディスク２１Ａから読み出し、メモリカード２５に複写する。
【０１６７】
ステップＳ１７の処理後は、ステップＳ１８に進み、プロキシ複写部９３は、素材用エディットリストに基づいて、その素材用エディットリストに対応する編集結果にＶＯが付加されているかどうか、即ち、図５の素材用エディットリストにおいてpar要素にaudio要素が含まれているかどうかを判定する。
【０１６８】
ステップＳ１８において、編集結果にＶＯが付加されていると判定された場合、ステップＳ１９に進み、プロキシ複写部９３は、素材用エディットリストに基づいて、その素材用エディットリストに対応する編集結果に付加されたＶＯのＶＯデータを、光ディスク２１Ａから読み出し、メモリカード２５に複写して、ステップＳ２０に進む。
【０１６９】
一方、ステップＳ１８において、編集結果にＶＯが付加されていないと判定された場合、ステップＳ１９の処理はスキップされ、処理はステップＳ２０に進む。
【０１７０】
ステップＳ２０において、表示制御部９４は、ステップＳ１１の処理と同様に、光ディスク２１Ａに記録されている素材用エディットリストファイルの名称と作成日時を取得するとともに、メモリカード２５に記録されているプロキシ用エディットリストファイルの基になった素材用エディットリストファイルの名称と作成日時を取得する。
【０１７１】
ステップＳ２０の処理後は、ステップＳ２１に進み、表示制御部９４は、ステップＳ１２の処理と同様に、ステップＳ２０で取得した素材用エディットリストファイルの名称と作成日時に基づいて、指定画面の表示を行う。これにより、例えば、映像モニタ４４に表示される指定画面１６０が、図８の指定画面１８０に変更される。
【０１７２】
ステップＳ２１の処理後は、ステップＳ２２に進み、エディットリスト記録部９２は、操作部I/F５５からの操作信号に応じて、指定画面の表示の終了が指令されたかどうか、即ち、図示せぬ終了ボタンがユーザにより押下されたかどうかを判定する。
【０１７３】
ステップＳ２２において、指定画面の表示の終了が指令されていないと判定された場合、ステップＳ１３に戻り、上述した処理が繰り返される。
【０１７４】
一方、ステップＳ２２において、指定画面の表示の終了が指令されたと判定された場合、処理は終了する。
【０１７５】
また、図９のステップＳ６において、光ディスク２１Ａが装着されていないと判定された場合、ステップＳ２３に進み、表示制御部９４は、操作部I/F５５からの操作信号に応じて、ユーザにより、メモリカード２５のＶＯデータ記録用メモリカードとしての使用の中止が指令されたかどうかを判定する。
【０１７６】
ステップＳ２３において、メモリカード２５のＶＯデータ記録用メモリカードとしての使用の中止が指令されていないと判定された場合、ステップＳ６に戻り、光ディスク２１Ａが装着されるか、中止が指令されるまで、ステップＳ６とＳ２３の処理を繰り返す。
【０１７７】
一方、ステップＳ２３において、メモリカード２５のＶＯデータ記録用メモリカードとしての使用の中止が指令されたと判定された場合、処理は終了する。
【０１７８】
また、ステップＳ９において、ＶＯを付加すると判定された場合、処理判定部８１は、以降の処理をＶＯ処理部８３に行わせると判定して、ＶＯ処理部８３に処理の開始を指令し、ステップＳ２４に進む。
【０１７９】
ステップＳ２４において、ＶＯ処理部８３は、ＶＯデータに関する処理であるＶＯ処理を行う。このＶＯ処理の詳細は、図１１を参照して後述する。
【０１８０】
次に、図１１を参照して、図９のステップＳ２４のＶＯ処理について説明する。
【０１８１】
ステップＳ４１において、ＶＯ処理部８３の一致判定部１００は、メモリカード２５からディスクメタデータを読み出し、表示制御部１０４に供給して、ステップＳ４２に進む。
【０１８２】
ステップＳ４２において、表示制御部１０４は、ディスクメタデータに含まれる、メモリカード２５に対応する光ディスク２１ＡのタイトルおよびディスクＩＤ、並びに光ディスク２１Ａの装着を促すメッセージを映像モニタ４４に表示させる。
【０１８３】
ステップＳ４２の処理後は、ステップＳ４３に進み、一致判定部１００は、光ディスク２１Ａが光ディスクドライブ６６に装着されたかどうかを判定し、光ディスク２１Ａが装着されていないと判定された場合、ステップＳ４４に進む。
【０１８４】
ステップＳ４４において、一致判定部１００は、操作部I/F５５からの操作信号に応じて、ユーザにより、ＶＯ付加装置３０の動作モードとして、メモリカード２５に記録されているプロキシ用エディットリストに対応するプロキシデータの編集結果にＶＯを付加するモードであるメモリモードが選択されたかどうかを判定する。
【０１８５】
ステップＳ４４において、ユーザにより動作モードとしてメモリモードが選択されていないと判定された場合、ステップＳ４３に戻り、光ディスク２１Ａが装着されるか、メモリモードが選択されるまで、ステップＳ４３とＳ４４の処理を繰り返す。
【０１８６】
一方、ステップＳ４４において、ユーザにより動作モードとしてメモリモードが選択されたと判定された場合、ステップＳ４５に進み、ＶＯ付加部１０３は、ＶＯ付加装置３０の動作モードをメモリモードに設定し、メモリカード処理を終了する。
【０１８７】
動作モードがメモリモードである場合、ＶＯ付加部１０３は、メモリカード２５に記録されているプロキシ用エディットリストにしたがって、そのプロキシ用エディットリストに対応する編集結果を構成するプロキシデータを、一時記憶メモリ６５にバッファリングしながら再生し、再生中にマイクロフォン３０Ａに入力される音声に対応するＶＯデータを、ＶＯデータの入力時に再生されていたプロキシデータと同時に再生されるように、メモリカード２５に記録させる。
【０１８８】
その結果、メモリカード２５に記録されているプロキシ用エディットリストが更新される。例えば、ＶＯ付加部１０３は、ＶＯ付加後の素材用エディットリストに基づいて作成されたプロキシ用エディットリストに対応するプロキシデータの編集結果に新たなＶＯを上書きして付加する場合、プロキシ用エディットリストのaudio要素に記述されるUMIDを、新たなＶＯのＶＯデータに付与されたUMIDに更新する。
【０１８９】
以上のように、ＶＯ付加装置３０は、ＶＯ記録データ用メモリカードであるメモリカード２５を用いて、そのメモリカード２５に記録されているプロキシ用エディットリストに対応するプロキシデータの編集結果にＶＯを付加することができる。
【０１９０】
また、ステップＳ４３において、光ディスク２１Ａが装着されたと判定された場合、ステップＳ４６に進み、ＶＯ処理部８３は、メモリカード２５に記録されているＶＯデータを光ディスク２１Ａに複写する複写処理を行う。この複写処理の詳細は、図１２を参照して後述する。
【０１９１】
ステップＳ４６の処理後は、ステップＳ４７に進み、一致判定部１００は、ＶＯ付加装置３０の動作モードを、光ディスク２１Ａに記録されている素材用エディットリストに対応する素材データの編集結果にＶＯを付加するモードであるディスクモードに設定し、メモリカード処理を終了する。
【０１９２】
この後、ＶＯ付加装置３０は、光ディスク２１Ａに記録されている素材用エディットリストにしたがって、その素材用エディットリストに対応する編集結果を構成する素材データを、一時記憶メモリ６５にバッファリングしながら再生し、再生中にマイクロフォン３０Ａに入力される音声に対応するＶＯデータを、ＶＯデータの入力時に再生されていた素材データと同時に再生されるように、光ディスク２１Ａに記録させることにより、素材データの編集結果にＶＯを付加する。その結果、光ディスク２１Ａには、例えば図５の素材用エディットリストが記録される。なお、再生対象は素材データではなく、プロキシデータであってもよい。
【０１９３】
次に、図１２を参照して、図１１のステップＳ４６のＶＯ複写処理について説明する。
【０１９４】
ステップＳ６１において、一致判定部１００は、装着された光ディスク２１Ａからディスクメタデータを読み出し、それに含まれるディスクＩＤと、ステップＳ４１で読み出されたディスクメタデータに含まれるディスクＩＤが一致するかどうかを判定する。
【０１９５】
ステップＳ６１において、ディスクＩＤが一致すると判定された場合、ステップＳ６２に進み、一致判定部１００は、メモリカード２５に記録されているプロキシ用エディットリストのうち、光ディスク２１Ａに記録されている素材用エディットリストに対応するプロキシ用エディットリストがあるかどうかを判定する。
【０１９６】
具体的には、一致判定部１００は、メモリカード２５に記録されているプロキシ用エディットリストファイルのヘッダに含まれる、そのプロキシ用エディットリストの基になった素材用エディットリストファイルの名称のうち、光ディスク２１Ａに記録されている素材用エディットリストファイルのヘッダに含まれる素材用エディットリストファイルの名称と一致する名称があるかどうかを判定する。
【０１９７】
ステップＳ６２において、光ディスク２１Ａに記録されている素材用エディットリストに対応するプロキシ用エディットリストがあると判定された場合、ステップＳ６３に進み、エディットリスト記録部１０２は、そのプロキシ用エディットリストを読み出してＶＯ複写部１０１に供給するとともに、そのプロキシ用エディットリストに基づいて素材用エディットリストを作成し、光ディスク２１Ａに記録させる。
【０１９８】
これにより、光ディスク２１Ａに記録されている素材用エディットリストが、その素材用エディットリストに基づいて作成されたプロキシ用エディットリストファイルに基づいて更新される。
【０１９９】
なお、エディットリスト記録部１０２は、光ディスク２１Ａに記録されている素材用エディットリストを更新するのではなく、プロキシ用エディットリストに基づいて作成された素材用エディットリストを、新たな素材用エディットリストとして光ディスク２１Ａに記録させるようにしてもよい。
【０２００】
ステップＳ６３の処理後は、ステップＳ６４に進み、ＶＯ複写部１０１は、エディットリスト記録部１０２からのプロキシ用エディットリストに基づいて、プロキシデータの編集結果に新たなＶＯが付加されているかどうか、即ち、プロキシ用エディットリストにおいてpar要素にaudio要素が含まれており、かつ、そのaudio要素に記述されるUMIDのＶＯデータが光ディスク２１Ａに記録されていないかどうかを判定する。
【０２０１】
ステップＳ６４において、プロキシデータの編集結果に新たなＶＯが付加されていないと判定された場合、図１１のステップＳ４６に戻り、上述したステップＳ４７の処理が行われる。
【０２０２】
一方、ステップＳ６４において、プロキシデータの編集結果に新たなＶＯが付加されていると判定された場合、ステップＳ６５に進み、ＶＯ複写部１０１は、そのＶＯのＶＯデータをメモリカード２５から読み出し、光ディスク２１Ａに複写して、図１１のステップＳ４６に戻り、上述したステップＳ４７の処理を行う。
【０２０３】
また、ステップＳ６１において、ディスクＩＤが一致しないと判定された場合、ステップＳ６６に進み、表示制御部１０４は、装着された光ディスク２１Ａが、メモリカード２５に対応していない旨のメッセージを映像モニタ４４に表示させ、図１１のステップＳ４６に戻り、上述したステップ４７の処理が行われる。
【０２０４】
以上のように、ＶＯ付加装置３０は、メモリカード２５が装着されたとき、メモリカード２５からディスクメタデータを読み出し、その読み出されたディスクメタデータに含まれるディスクＩＤと、光ディスク２１ＡのディスクＩＤとが一致するかどうかを判定し、一致すると判定された場合、メモリカード２５に記録されているプロキシ用エディットリストに基づいて、光ディスク２１Ａに記録されている素材用エディットリストを更新するので、素材データのデータ量を小さくしたプロキシデータの編集情報に基づいて、その素材データの編集結果の編集情報を更新することができる。
【０２０５】
また、ＶＯ付加装置３０は、装着されたメモリカード２５を用いて、光ディスク２１Ａに新たなＶＯデータを記録することができる。これにより、例えば、ＶＯ付加装置２４は、異なる場所に配置されたＶＯ付加装置２６で、ＶＯ付加装置２４のユーザとは異なるユーザによりプロキシデータの編集結果に付加されたＶＯを、そのプロキシデータの編集結果に対応する素材データの編集結果に付加することができる。
【０２０６】
また、メモリカードに記録されているプロキシ用エディットリストに基づいて作成された素材用エディットリストを、新たな素材用エディットリストとして光ディスクに記録させる場合、同一のプロキシデータの編集結果に対して異なるＶＯが付加された複数のメモリカードと、そのプロキシデータの編集結果に対応する素材データの編集結果などが記録された１つの光ディスクとをＶＯ付加装置３０に装着させることにより、同一の素材データの編集結果に対して異なるＶＯが付加された１つの光ディスクを作成することができる。その結果、例えば、言語や説明内容などが異なるＶＯ、異なる人物により入力されるＶＯなどが編集結果に付加された複数の光ディスクを作成することができる。
【０２０７】
なお、上述した説明では、ＶＯ付加装置３０は、素材データに対してＶＯデータを付加したが、収録時に映像データだけを収録し、その映像データに対してＶＯデータを付加するようにしてもよい。
【０２０８】
また、上述した説明では、メモリカード２５を介して素材用エディットリストの更新とＶＯデータの記録が行われたが、図示せぬネットワークを介して行われるようにしてもよい。この場合、例えば、ＶＯ付加装置２６が、FTPなどに準拠してプロキシ用エディットリストとＶＯデータをＶＯ付加装置２４に送信し、ＶＯ付加装置２４は、ＶＯ付加装置２６から送信されてくるプロキシ用エディットリストとＶＯデータを用いて、素材用エディットリストの更新とＶＯデータの記録を行う。
【０２０９】
さらに、本実施の形態では、素材データなどを光ディスクに記録させるものとしたが、例えば磁気ディスク、光磁気ディスク、メモリカード、着脱式ハードディスクドライブなどに記録させるようにしてもよい。
【０２１０】
本発明は、収録された音声データに対して、映像データを付加する装置にも適用することができる。この場合、光ディスクまたはメモリカードに記録されている音声データの再生中に他の装置や他の記録媒体から供給される映像データが、その音声データに付加される。なお、メモリカードに記録される音声データは、光ディスクに記録されている音声データのデータ量を小さくしたデータであってもよい。
【０２１１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２１２】
また、本明細書において、システムとは、複数の装置により構成される装置全体を表すものである。
【０２１３】
なお、本発明の実施の形態は、上述した実施の形態に限定されるものではなく、本発明の要旨を逸脱しない範囲において種々の変更が可能である。
【図面の簡単な説明】
【０２１４】
【図１】本発明を適用した簡易編集システムの構成例を示す図である。
【図２】ＶＯ付加装置のハードウェア構成例を示すブロック図である。
【図３】ＶＯ付加装置の機能的構成例を示すブロック図である。
【図４】ＶＯ付加後に光ディスクに記録されているファイルのディレクトリ構造の例を示す図である。
【図５】ＶＯ付加後のエディットリストの例を示す図である。
【図６】指定画面の例を示す図である。
【図７】指定画面の例を示す他の図である。
【図８】指定画面の例を示す、さらに他の図である。
【図９】メモリカード処理を説明するフローチャートである。
【図１０】メモリカード処理を説明するフローチャートである。
【図１１】ＶＯ処理を説明するフローチャートである。
【図１２】ＶＯ複写処理を説明するフローチャートである。
【符号の説明】
【０２１５】
２１Ａ  光ディスク，  ２５  メモリカード，  ３０  ＶＯ付加装置，  ４５  リムーバブルメディア，  ５２  マイコン，  ６８  ハードディスク，  ８２  作成部，  １００  一致判定部，  １０１  ＶＯ複写部，  １０２  エディットリスト記録部
【図１】
2007323710.tif 000003
【図２】
2007323710.tif 000004
【図３】
2007323710.tif 000005
【図４】
2007323710.tif 000006
【図５】
2007323710.tif 000007
【図６】
2007323710.tif 000008
【図７】
2007323710.tif 000009
【図８】
2007323710.tif 000010
【図９】
2007323710.tif 000011
【図１０】
2007323710.tif 000012
【図１１】
2007323710.tif 000013
【図１２】
2007323710.tif 000014